(57)【特許請求の範囲】
【請求項１】
一方端に硬貨の受入口を有し、他方端に硬貨の払出口を有する回転式の硬貨収納筒を備え、前記受入口から硬貨収納筒内へ搬入された硬貨をこの硬貨収納筒の回転により筒内を前記払出口側へ順次移送し、硬貨収納筒内に整列して収納し、この硬貨収納筒内に収納された硬貨を払い出しの必要なときに払出口から払出機構により払い出すようにした硬貨処理機において、硬貨の前記硬貨収納筒の受入口への搬入を案内する搬入案内板の先端を硬貨収納筒の受入口よりこの硬貨収納筒の内壁面に接触させることなく硬貨収納筒の内側まで挿入したことを特徴とする硬貨処理機の硬貨搬入装置。
【請求項２】
請求項１に記載の硬貨処理機の硬貨搬入装置において、前記搬入案内板により案内されて硬貨収納筒内に搬入された硬貨の先端が硬貨収納筒の内面に接したとき硬貨の直径の半分以上がまだ搬入案内板により支持されているようにしたことを特徴とする硬貨処理機の硬貨搬入装置。
【請求項３】
請求項１または２に記載の硬貨処理機の硬貨搬入装置において、前記搬入案内板により案内されて硬貨収納筒内に搬入された硬貨の先端が硬貨収納筒の内面に接したとき硬貨のほぼ全部が硬貨収納筒内に入り込んでいるようにしたことを特徴とする硬貨処理機の硬貨搬入装置。
【発明の詳細な説明】
【０００１】
【発明の属する技術分野】
本発明は、スーパーマーケット、コンビニエンス・ストアやガソリン・スタンド等における電子式金銭登録機、ＰＯＳ用レジスタ等に接続して使用可能な、入金処理した硬貨を釣銭として再使用する循環式の硬貨処理機、特にその内部の硬貨収納筒への入金硬貨の搬入装置に関する。
【０００２】
【従来の技術】
近年、スーパーマーケット、コンビニエンス・ストア等の会計場で使用されるＰＯＳ（販売時点情報管理システム）用レジスタには、釣銭の受け渡しの間違いをなくすために、このようなレジスタに連動する釣銭自動支払機が設置されている。
【０００３】
このような釣銭自動支払機には、特開平１０−４０４３７号公報によって知られているように、入金紙幣を収納して、釣銭支払い時にこの収納した紙幣を払い出すようにした循環式の紙幣処理機と、同様に入金硬貨を収納し、この収納硬貨を釣銭として払い出すようにして循環式の硬貨処理機を備えている。
【０００４】
従来の硬貨処理機の全体の構成を図３および図４に示す。図３は硬貨処理機３０の平面図、図４は正面断面図である。
【０００５】
硬貨処理機３０は、図示しない前面パネルの硬貨入金口６に一括投入された複数枚の入金された硬貨を１枚ずつ分離して後方へ繰り出す硬貨分離繰出部４０と、１枚ずつ繰り出された硬貨を後方（背部方向）へ搬送しながら硬貨を金種毎に選別する後方へ延びた硬貨選別部５０と、選別された硬貨を金種別に起立状態で積み重ね整列収納する傾斜姿勢又は実質的に水平姿勢の回転式の硬貨収納筒６０（６０Ａ〜６０Ｆ）と、各回転式硬貨収納筒６０から起立硬貨を１枚ずつ筒外へ払い出す硬貨払出部７０（７０Ａ〜７０Ｆ）と、各硬貨払出部７０で払い出された硬貨を前面パネル１ｂの硬貨払出口７に搬送する前方に延びた硬貨払出搬送部８０とから構成されている。
【０００６】
硬貨分離繰出部４０で一枚ずつに分離された硬貨が硬貨選別部５０に送られ、ここでそれぞれ各金種の硬貨の直径に対応する直径を有する１円硬貨用選別穴５４Ａ，５０円硬貨用選別穴５４Ｂ，５円硬貨用選別穴５４Ｃ，１００円硬貨用選別穴５４Ｄ，１０円硬貨用選別穴５４Ｅ，５００円硬貨用選別穴５４Ｆによって金種別に選別される。硬貨選別穴５４Ａ〜５４Ｆ（５４）によって選別され、この穴から落下する硬貨は搬入案内板５６により案内されて一端の硬貨受入口Ｘから回転式の硬貨収納筒６０（６０Ａ〜６０Ｆ）内へ搬入される。
【０００７】
各回転式硬貨収納筒６０の内周面に螺旋状に硬貨送り突条Ｓが設けられており、この突条Ｓによって硬貨受入口Ｘから筒内に搬入された硬貨ＣＮを筒内の払出口Ｙ側へ移送することにより収納筒内に起立させて積み重ね収納する。
【０００８】
硬貨の釣銭の払い出しが必要なときに硬貨払出部７０（７０Ａ〜７０Ｆ）によって硬貨収納筒内に収納された硬貨が１枚ずつ払い出され、計数される。払い出された硬貨は、硬貨払出搬送部８０によって硬貨出金口７へ搬送される。
【０００９】
このような硬貨処理機において、従来は、選別された硬貨ＣＮを硬貨収納筒へ案内する搬入案内板５６の先端が硬貨受入口Ｘの手前で止まっている。
【００１０】
【発明が解決しようとする課題】
このような従来の硬貨処理機においては、硬貨選別部で選別された硬貨を硬貨収納筒へ搬入する際に、搬入案内板が硬貨収納筒の中まで挿入されていないでその外側で止まっているため、硬貨が搬入案内板に案内されて硬貨収納筒内に搬入されその先端が硬貨収納筒の内壁面に接したとき、搬入案内板は硬貨のわずかな部分しか支持しておらず、また、硬貨の一部しか硬貨収納筒の中へ入っていないため、硬貨収納筒が回転していることもあって、この筒内での硬貨の搬入姿勢が不安定となり硬貨収納筒の受入口付近で硬貨詰まりが発生することがある。このように硬貨収納筒内で硬貨詰まりが発生すると硬貨収納筒への硬貨の搬入、これからの払い出しができなくなるので、その都度人手によって硬貨詰まりを取り除く必要があり、このために装置の稼働率が低下する不都合がある。
【００１１】
この発明は、このような不都合を除くため、硬貨処理機における硬貨収納筒での硬貨詰まりの発生を抑制することのできる硬貨搬送装置を提供することを課題とするものである。
【００１２】
【課題を解決するための手段】
この発明は、上記の課題を解決するために、一方端に硬貨の受入口を有し、他方端に硬貨の払出口を有する回転式の硬貨収納筒を備え、前記受入口から硬貨収納筒内へ搬入された硬貨をこの硬貨収納筒の回転により筒内を前記払出口側へ順次移送し、硬貨収納筒内に整列して収納し、この硬貨収納筒内に収納された硬貨を払い出しの必要なときに払出口から払出機構により払い出すようにした硬貨処理機において、硬貨の前記硬貨収納筒の受入口への搬入を案内する硬貨案内板の先端を硬貨収納筒の受入口よりこの硬貨収納筒の内壁面に接触させることなく硬貨収納筒の内側まで挿入するようにしている。
【００１３】
また上記の構成において、前記搬入案内板により案内されて硬貨収納筒内へ搬入された硬貨の先端が硬貨収納筒の内壁面に接したとき硬貨の直径の半分以上がまだ搬入案内板により支持されているようにするのがよい
さらに、上記の構成において前記搬入案内板により案内されて硬貨収納筒内へ搬入された硬貨の先端が硬貨収納筒の内壁面に接したとき硬貨のほとんどが硬貨収納筒内に入り込んでいるようにするのがよい。
【００１４】
【発明の実施の形態】
図１および図２にこの発明の実施の形態を示すので、これらの図を用いてこの発明の実施の形態について説明する。
【００１５】
図１および図２はこの発明の要部である硬貨収納筒６０と搬入案内板５６ａを部分的に示すものであり、図1はその横断面図、図２は縦断面図である。
【００１６】
これの図からも明らかであるようにこの発明では、図示されない硬貨選別部から選別されて落下された硬貨を受けて硬貨収納筒６０の受入口Ｘへ案内する搬入案内板５６ａの先端が延長されて、硬貨収納筒６０の中に挿入されている。硬貨収納筒６０は図示されない駆動装置により回転されているので、硬貨収納筒６０内に挿入された搬入案内板５６ａは、硬貨収納筒内でこの筒の内壁面に接触しないように筒の内壁に対して適当なギャップができる幅にされている。
【００１７】
このよう構成によれば、硬貨選別部から落下する硬貨ＣＮは搬入案内板５６ａにより受けられ、受入口Ｘより硬貨収納筒６０の中まで案内されてこの中に搬入されるが、この案内板５６ａから滑り落ちて硬貨ＣＮの先端が収納筒６０の内壁面に接する状態となったとき硬貨ＣＮの全体がすでに収納筒６０の中に入り込んでおり、かつ硬貨の直径のほぼ全部がまだ案内板５６ａにより支持されている。このため、収納筒６０に搬入された硬貨ＣＮは、この後、収納筒６０の回転力を受けるが案内板５６ａによる支持面積が広いので、安定した姿勢をとりこれが崩れることがないので、円滑に収納筒６０内の奥のほうに搬送されるようになる。
【００１８】
この場合、案内板５６ａの収納筒６０内への挿入深さを必要以上に大きくすると、収納筒６０の硬貨収納量が低下するため、これは好ましくない。案内板５６ａの収納筒６０内への最適な挿入深さは、案内板５６ａを介して搬入された硬貨がその先端を収納筒６０の内壁面に接したとき硬貨がほぼ収納筒６０内に入り込み、そしてその直径の半分以上が案内板５６ａに支持されているような深さであるが、硬貨の直径の半分以上が案内板に支持されていれば、硬貨の全部が収納筒の入り込まなくとも半分程度が入り込むような挿入深さでも実用上問題がないことが確認されている。
【００１９】
【発明の効果】
この発明は、上記のとおり、一方端に硬貨の受入口を有し、他方端に硬貨の払出口を有する回転式の硬貨収納筒を備え、前記受入口から硬貨収納筒内へ搬入された硬貨をこの硬貨収納筒の回転により筒内を前記払出口側へ順次移送し、硬貨収納筒内に整列して収納し、この硬貨収納筒内に収納された硬貨を払い出しの必要なときに払出口から払出機構により払い出すようにした硬貨処理機において、硬貨の前記硬貨収納筒の受入口への搬入を案内する硬貨案内板の先端を前記硬貨収納筒の受入口より収納筒の中まで挿入するようにしただけの簡単な構成であるが、硬貨が搬入案内板を介して硬貨収納筒内に搬入されたとき搬入案内板により支持されているので受入口付近での搬入姿勢が安定し、硬貨詰まりの発生を防止できる効果がある。したがってこの発明を使用することにより硬貨処理機の稼働率を高めることができる。
【図面の簡単な説明】
【図１】この発明の実施の形態を示す横断面図である。
【図２】この発明の実施の形態を示す縦断面図である。
【図３】従来の硬貨処理機を示す平面図である。
【図４】従来の硬貨処理機を示す正面断面図である。
【符号の説明】
５６，５６ａ：搬入案内板、    ６０：硬貨収納筒、    ＣＮ：硬貨
Ｘ：受入口。
【図１】
0003867829.tif 000002
【図２】
0003867829.tif 000003
【図３】
0003867829.tif 000004
【図４】
0003867829.tif 000005